(57)【要約】【課題】再利用の買物袋を収納するスペースの確保に苦労せずに済み、ゴミ出し作業に伴い買物袋をゴミ箱に被せる際の手間を少なくすることが出来るゴミ箱を提供する。【解決手段】筒状の本体３の底部を二重にして、ゴミ入れのための再利用の買物袋１３を収納する。この底部を二重にするために、本体３の上部の開口から入れる取り外し可能な上げ底５を備える。あるいは、本体３の底部に下方から接続され分離可能な筒状の分離底部１５を備える。あるいは、本体３の二重底２３の側面に形成される開口部３３から出し入れできる引き出し状の引き出しケースを備える。【選択図】図1
2005194065.tif 000002
【特許請求の範囲】
【請求項１】
筒状の本体と、この本体の底部を二重にしてゴミ入れのための再利用の買物袋を収納するため、前記本体の上部の開口から入れる取り外し可能な上げ底と、を有することを特徴とするゴミ箱。
【請求項２】
筒状の本体と、この本体の底部を二重にしてゴミ入れのための再利用の買物袋を収納するため、前記本体の底部に下方から接続され分離可能な筒状の分離底部と、を有することを特徴とするゴミ箱。
【請求項３】
筒状の本体と、この本体の底部を二重にしてゴミ入れのための再利用の買物袋を収納するための二重底と、この二重底の側面に形成される開口部と、この開口部から出し入れできる引き出し状の引き出しケースと、を有することを特徴とするゴミ箱。
【発明の詳細な説明】
【技術分野】
【０００１】
この発明は、再利用の買物袋をゴミ箱の内側に被せて使用するための前記ゴミ箱の構造に関する。
【背景技術】
【０００２】
買物袋は、スーパーマーケットやコンビニエンスストアなどから買物時に入手し、再利用のために台所の引き出しなどに収納する。そして、この再利用の最も多い形態として、ゴミ箱の内側に被せて使用する。このような再利用の形態は、下記の特許文献１、特許文献２、特許文献３などに記載される。
【特許文献１】特開２０００−１６８９０３
【特許文献２】特開平９−２６０１
【特許文献３】実開平５−５６８０４
【発明の開示】
【発明が解決しようとする課題】
【０００３】
しかしながら、例えば一軒の家には通常は部屋ごとにゴミ箱が用意され、その多くのゴミ箱に買物袋を被せて再利用する際には、多くの買物袋を引き出しなどに収納しておかねばならず、収納スペースの確保に苦労する。  また、引き出しなどの収納場所から買物袋をそれぞれのゴミ箱まで持って行って被せることは、日常的に行われる作業として、手間のかかるものであった。すなわち、ゴミ出し作業の度に、例えば台所の引き出しから各部屋まで、移動しなければならない。
【０００４】
この発明は、以上の問題点を解決するために、収納スペースの確保に苦労せずに済み、ゴミ出し作業に伴い買物袋をゴミ箱に被せる際の手間を少なくすることが出来るゴミ箱を提供することを目的とする。
【課題を解決するための手段】
【０００５】
以上の課題を解決するために、第一発明は、 筒状の本体と、この本体の底部を二重にしてゴミ入れのための再利用の買物袋を収納するため、前記本体の上部の開口から入れる取り外し可能な上げ底と、を有することを特徴とするゴミ箱である。
第二発明は、筒状の本体と、この本体の底部を二重にしてゴミ入れのための再利用の買物袋を収納するため、前記本体の底部に下方から接続され分離可能な筒状の分離底部と、を有することを特徴とするゴミ箱である。
第三発明は、筒状の本体と、この本体の底部を二重にしてゴミ入れのための再利用の買物袋を収納するための二重底と、この二重底の側面に形成される開口部と、この開口部から出し入れできる引き出し状の引き出しケースと、を有することを特徴とするゴミ箱である。
【発明の効果】
【０００６】
第一発明によれば、再利用の買物袋はゴミ箱の二重の底部に収納できるので、例えば台所の引き出しなどに買物袋の収納スペースの確保に苦労せずに済む。
また、、ゴミ出し作業の際には、そのゴミ箱の二重の底部から買物袋を取出しそのゴミ箱に被せることで、例えば台所の引き出しから各部屋まで移動しなければならないということがないので、手間が少ない。
【発明を実施するための最良の形態】
【０００７】
（第１実施形態）
この発明の第１実施形態を、図１に示す。
この第１実施形態のゴミ箱１は、円筒状で底３Ａを有する本体３と、上げ底５とからなる。この上げ底５は、本体３の径よりも若干小さい径を有する円板７の周囲に、等間隔に３つの脚９が取り付けられる。円板７の中心には指が入る孔１１が形成される。
【０００８】
この上げ底５は、この孔１１に指を入れ、円板７の縁に他の指をかけてつかみ、本体３の上部の開口から出し入れすることで、底部に取り外し可能となっている。上げ底５を底部に取り付けた状態で、本体３の底部を二重にできる。この二重の底部、すなわち上げ底５の円板７と底部との間に、ゴミ入れのための再利用の買物袋１３を収納する。買物袋１３は、スーパーマーケットやコンビニエンスストアなどから買物時に入手するもので、塩化ビニール袋などで、収納する際には縦に細くしごいて畳んでおく。
【０００９】
「実施形態の効果」
この実施形態によれば、再利用の買物袋１３はゴミ箱１の二重の底部に収納できるので、例えば台所の引き出しなどに買物袋１３の収納スペースの確保に苦労せずに済む。また、、ゴミ出し作業の際には、そのゴミ箱１の二重の底部から買物袋１３を取出しそのゴミ箱１に被せることで、例えば台所の引き出しから各部屋まで移動しなければならないということがないので、手間が少ない。
【００１０】
「他の実施形態」
この図１の実施形態では、 上げ底５の円板７は脚９を有するものであったが、他の実施形態では、脚９はなくてよい。脚９がない場合には、円板７の裏面は直接に買物袋１３に接するが、接することで買物袋１３が押しつぶされてもかまわない。
【００１１】
また、上げ底５の円板７をつかむために孔１１が形成されたが、他の実施形態では、指でつかむための突起や、出没可能な取手を円板７の表面に設けてもよい。
【００１２】
（第２実施形態）
この発明の第２実施形態を、図２に示す。
前記第１実施形態では、底部を二重にするために上げ底５を備えるものであったが、この第２実施形態のように本体３の底部に下方から接続され分離可能な筒状の分離底部１５を備えるものであってもよい。
【００１３】
すなわち、この第２実施形態のゴミ箱１は、円筒状で底３Ａを有する本体３と、短円筒状で底１５Ａを有する分離底部１５とからなる。本体３の底部の外側は、分離底部１５との嵌合を行うために、縮径部１７を有する。分離底部１５は、本体３の外径と同じ外径を有し、内径は、前記本体３の縮径部１７と嵌合するために、上部に拡径部１９を有する。この縮径部又は拡径部１９には、互いの接触面に図示しないリブなどを設け、これにより嵌合を維持し、分離に適度な抵抗を持たせる節度感を与える。また、分離底部１５の外面には、分離の際に指をかけるための取手２１を設ける。
【００１４】
（第３実施形態）
この発明の第３実施形態を、図３に示す。
前記第１実施形態では、底部を二重にするために上げ底５を備えるものであったが、この第３実施形態のように二重底２３の側面から出し入れできる引き出しケース部２５を備えるものであってもよい。
【００１５】
すなわち、この第３実施形態のゴミ箱１は、円筒状で二重底２３を有する本体３と、二重底２３の側面から出し入れできる引き出しケース部２５とからなる。本体３の底部は、上底２７と下底２９と、これら両底の周囲に設けられる底部周面３１と、からなる二重底２３を有する。底部周面３１の側面には、開口部３３が形成される。開口部３３の大きさは、周囲の略半分である。
【００１６】
この開口部３３には、引き出しケース２５が出し入れ自在に配置される。この引き出しケース２５は、、短円筒状で底２６を有する。引き出し方向の前面は、本体３の外径と同じ外径の拡径した円弧状の前周板３５が設けられる。引き出し方向の後面は、本体３の内径よりも若干小さな縮径した円弧状の後周板３７が設けられる。これにより、前周板３５の両縁部３９が、開口部３３の縁部３３Ａに係止し、引き出しケースを開口部３３に入れた状態が位置決めされる。
【図面の簡単な説明】
【００１７】
【図１】（Ａ）は、この発明の第１実施形態の使用状態を示す斜視図、（Ｂ）は（Ａ）の上げ底を示す斜視図である。
【図２】（Ａ）は、この発明の第２実施形態の使用状態を示す斜視図、（Ｂ）は（Ａ）の分離底部を分離した状態を示す斜視図である。
【図３】（Ａ）は、この発明の第３実施形態の使用状態を示す斜視図、（Ｂ）は（Ａ）の引き出しケースを引き出した状態を示す斜視図である。
【符号の説明】
【００１８】
１…ゴミ箱、３…本体、５…底、７…円板、９…脚、１１…孔、１３…買物袋、１５…分離底部、１７…縮径部、１９…拡径部、２１…取手、２３…二重底、２５…ケース部、２７…上底、２９…下底、３１…底部周面、３３…開口部、３５…前周板、３７…後周板、３９…両縁部。
【図１】
2005194065.tif 000003
【図２】
2005194065.tif 000004
【図３】
2005194065.tif 000005